(57)【要約】【課題】画像形成装置の遠隔操作が可能なシステムで、警告事象が発生した際に、それぞれの装置に適した表示内容で警告表示を行うことを可能にする。【解決手段】それぞれ操作表示部を備える、画像形成装置と他の装置とが、ネットワークを介して接続され、前記他の装置の操作表示部を通して前記画像形成装置の遠隔操作を可能とした画像形成システムにおいて、前記画像形成装置の状態を管理する制御部を備え、該制御部は、前記遠隔操作時に前記画像形成装置で警告事象が発生すると、警告事象が発生した前記画像形成装置の前記操作表示部の表示内容を第１の表示形態に変更し、前記他の装置の前記操作表示部の表示内容を前記第１の表示形態と異なる第２の表示形態に変更する。【選択図】図３
2014138326.tif 000002
【特許請求の範囲】
【請求項１】
それぞれ操作表示部を備える、画像形成装置と他の装置とが、ネットワークを介して接続され、前記他の装置の操作表示部を通して前記画像形成装置の遠隔操作を可能とした画像形成システムにおいて、
前記画像形成装置の状態を管理する制御部を備え、
前記制御部は、前記遠隔操作時に前記画像形成装置で警告事象が発生すると、前記警告事象が発生した前記画像形成装置における前記操作表示部の表示内容を第１の表示形態に変更し、前記他の装置の前記操作表示部の表示内容を前記第１の表示形態と異なる第２の表示形態に変更することを特徴とする画像形成システム。
【請求項２】
前記第１の表示形態が、注意喚起が相対的に高い表示構成からなり、前記第２の表示形態が、注意喚起が相対的に低い表示構成からなることを特徴とする請求項１に記載の画像形成システム。
【請求項３】
前記第１の表示形態が、全面的な警告表示または点滅表示を含み、前記第２の表示形態が、部分的な警告表示を含むものであることを特徴とする請求項１または２に記載の画像形成システム。
【請求項４】
前記制御部は、前記警告事象が発生した際に、前記警告事象が発生した前記画像形成装置が操作状態の場合、前記画像形成装置の操作表示部の表示内容を前記第２の表示形態に変更することを特徴とする請求項１〜３のいずれかに記載の画像形成システム。
【請求項５】
前記制御部は、前記警告事象が緊急警告事象に相当すると判定される場合、前記他の装置の前記操作表示部の表示内容を前記第１の表示形態に変更することを特徴とする請求項１〜４のいずれか１項に記載の画像形成システム。
【請求項６】
前記制御部は、操作者の認証に基づいた前記他の装置の遠隔操作を可能とし、前記警告事象の発生に際し、前記操作者の認証に応じて前記他の装置の前記操作表示部の表示内容を変更することを特徴とする請求項１〜５のいずれか１項に記載の画像形成システム。
【請求項７】
前記他の装置が外部装置または他の画像形成装置であることを特徴とする請求項１〜６のいずれか１項に記載の画像形成装置。
【請求項８】
ネットワークを介して他の装置に接続され、前記他の装置の操作表示部を通した遠隔操作が可能とされているとともに、自機の操作および表示が可能な操作表示部を備える画像形成装置であって、
当該画像形成装置の状態を管理する制御部を備え、
前記制御部は、前記遠隔操作時に警告事象が発生すると、自機の前記操作表示部の表示内容を第１の表示形態に変更し、前記他の装置の前記操作表示部の表示内容を前記第１の表示形態と異なる第２の表示形態に変更する制御を行うことを特徴とする画像形成装置。
【請求項９】
前記第１の表示形態が、注意喚起が相対的に高い表示構成からなり、前記第２の表示形態が、注意喚起が相対的に低い表示構成からなることを特徴とする請求項８に記載の画像形成装置。
【請求項１０】
前記第１の表示形態が、全面的な警告表示または点滅表示を含み、前記第２の表示形態が、部分的な警告表示を含むことを特徴とする請求項８または９に記載の画像形成装置。
【請求項１１】
前記制御部は、前記警告事象が発生した際に、自機の操作表示部が操作状態の場合、自機の操作表示部の表示内容を前記第２の表示形態に変更することを特徴とする請求項８〜１０のいずれか１項に記載の画像形成装置。
【請求項１２】
前記制御部は、前記警告事象が緊急警告事象に相当すると判定される場合、前記他の装置の前記操作表示部の表示内容を第１の表示形態に変更することを特徴とする請求項８〜１１のいずれか１項に記載の画像形成装置。
【請求項１３】
前記制御部は、操作者の認証に基づいた前記他の装置による遠隔操作を可能とし、前記警告事象の発生に際し、前記操作者の認証に応じて前記他の装置の前記操作表示部の表示内容を変更することを特徴とする請求項８〜１２のいずれか１項に記載の画像形成装置。
【請求項１４】
自機の前記操作表示部が装置上面より上方に設けられ、表示画面が正面側に向いて設置されていることを特徴とする請求項８〜１３のいずれか１項に記載の画像形成装置。
【請求項１５】
それぞれ操作表示部を備え、ネットワークを介して接続された画像形成装置と前記画像形成装置の遠隔操作が可能な他の装置とを通して画像形成を行う画像形成方法において、
前記画像形成装置の状態を管理し、前記遠隔操作時に前記状態に基づいて前記画像形成装置で警告事象が発生したかを判定し、警告事象が発生したと判定すると、警告事象が発生した前記画像形成装置の前記操作表示部の表示内容を第１の表示形態に変更し、前記他の装置の前記操作表示部の表示内容を前記第１の表示形態と異なる第２の表示形態に変更することを特徴とする画像形成方法。
【発明の詳細な説明】
【技術分野】
【０００１】
この発明は、用紙に画像形成を行う画像形成装置および該画像形成装置を含む画像形成システムならびに画像形成方法に関するものである。
【背景技術】
【０００２】
複写機、プリンター、複合機などの画像形成装置では、原稿読み取り装置から読み込まれるなどして得られた画像データーに基づいて画像形成部に備えられた感光体上にトナー画像を形成し、該トナー画像をトレイから給紙される用紙に転写し、さらに定着することによってプリントが行われている。また、後処理装置を備えることでステイプル、パンチなどの後処理を可能とした画像形成装置も提案されている。
該画像形成装置では、ジョブ設定などを含む設定内容に基づいて画像形成や後処理が行われる。前記ジョブ設定などは、操作表示部を通して操作者が行うことが可能になっている。
【０００３】
また、ユーザーの使い勝手をよくするために、通信ネットワークを介して接続した外部装置で画像形成装置の遠隔操作を行うことを可能とした画像形成システムが提案されている（例えば特許文献１、２参照）。
特許文献１では画像形成装置の表示部と同じ表示と、操作キーを模した表示とを、遠隔操作できるワークステーションの表示部へ表示するものとしている。
特許文献２では複数の画像形成装置とネットワークを介して遠隔操作できる画像形成システムにおいて、どの画像形成装置本体の表示をしているかを分かりやすく表示することを可能にしている。
【先行技術文献】
【特許文献】
【０００４】
【特許文献１】特許第３０４２６５５号公報
【特許文献２】特開２００６−３４０２５９号公報
【発明の概要】
【発明が解決しようとする課題】
【０００５】
ところで、画像形成装置では、例えば用紙を十分補給し、ジョブ設定を行った後はユーザーが常に機械の前に居るとは限らない。よって、例えばＪＡＭやトナー補給等の警告がある場合、ユーザーがより気付きやすいように表示部の画面全面で警告したり、点滅をさせたりと、例え遠くに居ても気付くことができるよう大掛かりな警告表示を行う。
また、ユーザーが常に機械の前に居なくても状態を監視できるよう、通信ネットワークを介して画像形成装置の遠隔操作を行うことを可能とした画像形成システムでも、ＪＡＭなどに際しては警告表示を行うのが望ましい。
例えばＪＡＭ等は実際に画像形成装置本体の前に行かないと作業できない上、警告解除（ＪＡＭ解除）しなければ実際の印刷動作は出来ないので、大掛かりな警告が必要である。
しかし、ネットワークを介して遠隔操作している画像形成システムでは、画像形成装置本体の前に行かないと解除できないＪＡＭ等警告表示等はあまり必要ではない（ただしＪＡＭが生じている認識は必要）し、大掛かりな警告により、遠隔操作でジョブの作成等の作業出来ないことが問題となる。
【０００６】
本発明は上記事情を背景としてなされたものであり、警告事象が発生した場合、画像形成装置および外部装置の操作表示部の表示内容を異なる表示形態に変更する画像形成装置、画像形成システムおよび画像形成方法を提供することを目的とする。
【課題を解決するための手段】
【０００７】
すなわち、本発明の画像形成システムのうち、第１の本発明は、それぞれ操作表示部を備える、画像形成装置と他の装置とが、ネットワークを介して接続され、前記他の装置の操作表示部を通して前記画像形成装置の遠隔操作を可能とした画像形成システムにおいて、
前記画像形成装置の状態を管理する制御部を備え、
前記制御部は、前記遠隔操作時に前記画像形成装置で警告事象が発生すると、前記警告事象が発生した前記画像形成装置における前記操作表示部の表示内容を第１の表示形態に変更し、前記他の装置の前記操作表示部の表示内容を前記第１の表示形態と異なる第２の表示形態に変更することを特徴とする。
【０００８】
上記本発明によれば、遠隔操作時に画像形成装置で警告事象が発生した場合、警告事象が発生した画像形成装置と遠隔操作を行う他の装置とで操作表示部に表示する内容が異なるように表示内容を変更することができ、その一方で警告を重視した表示を可能にしたり、他方で操作性を確保した表示などを行うことができる。なお、画像形成システムでは、画像形成装置が複数接続されているものであってもよい。表示内容の変更は、遠隔操作が可能な他の装置で画像形成装置に対し遠隔操作中の他、画像形成装置に対する遠隔操作が行われていない状態で行うものであってもよい。
【０００９】
画像形成装置の遠隔操作としては、例えば、ｗｗｗ（ｗｏｒｌｄ  ｗｉｄｅ  ｗｅｂ）サーバとｗｗｗブラウザ等の閲覧ソフトウェアが動作する装置で、画像形成装置の操作画面をウェブページとして表示する技術がある。具体的には画像形成装置がウェブサーバにより提供する操作画面としてのウェブページを、他の装置でブラウザを用いて表示し、他の装置から画像形成装置の操作を可能とする。その他に、ＶＮＣ（Ｖｉｒｔｕａｌ  Ｎｅｔｗｏｒｋ  Ｃｏｍｐｕｔｉｎｇ；商標）ソフトウェア等のリモートアプリケーションを用いて画像形成装置の操作画面を遠隔用の装置に表示する技術がある。ただし、本発明としては遠隔操作の方法が特定のものに限定されるものではない。なお、遠隔操作を行う前記他の装置としては、外部装置の他、他の画像形成装置であってもよい。
ネットワークは、有線、無線を問わず、また、電話回線、データ回線などを用いるものであってもよく、ネットワークの形態が特に限定されるものではない。
操作表示部は、各種の表示を行う他、操作入力を受け付ける。操作表示部は、操作と表示をそれぞれ別体の操作部、表示部で行うようにしてもよい。
警告事象は、画像形成装置の動作が正常になされないＪＡＭや用紙切れ、故障などの他、消耗品の補充時期到達、交換品の交換時期到達などが挙げられる。
【００１０】
第２の本発明の画像形成システムは、前記第１の本発明において、前記第１の表示形態が、注意喚起が相対的に高い表示構成からなり、前記第２の表示形態が、注意喚起が相対的に低い表示構成からなることを特徴とする。
【００１１】
上記本発明によれば、警告事象が発生した画像形成装置では注意喚起を優先した内容に変更し、遠隔操作が可能な他の装置では、遠隔操作などが可能なように注意喚起が低くいものの、注意喚起を含む表示内容に変更することができる。
【００１２】
第３の本発明の画像形成システムは、前記第１または第２の本発明において、前記第１の表示形態が、全面的な警告表示または点滅表示を含み、前記第２の表示形態が、部分的な警告表示を含むものであることを特徴とする。
【００１３】
上記本発明によれば、警告事象が発生した画像形成装置では、全面表示または点滅表示の表示内容に変えることで、ユーザーに対する警告を強く喚起することができる。また、遠隔操作を行う他の装置では、警告表示を部分的に留めることで操作の継続が可能になる。
なお全面的な警告表示では、一部の操作可能領域を残していてもよく、主として表示内容が警告表示となるものであればよく、例えば表示領域の５０％超、好ましくは７０％以上を警告表示に利用する。また、部分的な警告表示は、アイコンや部分的な文字表示などにより行うことができ、その他の領域は、変更前の表示内容を維持することができる。
【００１４】
第４の本発明の画像形成システムは、前記第１〜第３の本発明のいずれかにおいて、前記制御部は、前記警告事象が発生した際に、前記警告事象が発生した前記画像形成装置が操作状態の場合、前記画像形成装置の操作表示部の表示内容を前記第２の表示形態に変更することを特徴とする。
【００１５】
上記本発明によれば、表示内容を変更する画像形成装置が操作状態の場合、画像形成装置の表示内容を遠隔操作を行う他の装置と同様に第２の表示形態にして、操作性を維持できるようにすることができる。なお、画像形成装置が操作状態とは、例えば、初期画面から何らかの操作が行われて操作入力が待機されている状態や、現に操作が行われている状態を挙げることができる。
【００１６】
第５の本発明の画像形成システムは、前記第１〜第４の本発明のいずれかにおいて、前記制御部は、前記警告事象が緊急警告事象に相当すると判定される場合、前記他の装置の前記操作表示部の表示内容を前記第１の表示形態に変更することを特徴とする。
【００１７】
上記本発明によれば、警告事象が緊急警告事象である場合、遠隔操作を行う他の装置でも表示内容を画像形成装置と同様に第１の表示形態に変更することで注意喚起を高めて警告事象への対処を速やかに行うことを促すことができる。なお、緊急警告事象としては、故障などによって遠隔操作自体が難しいようなものが挙げられる。
【００１８】
第６の本発明の画像形成システムは、前記第１〜第５の本発明のいずれかにおいて、前記制御部は、操作者の認証に基づいた前記他の装置の遠隔操作を可能とし、前記警告事象の発生に際し、前記操作者の認証に応じて前記他の装置の前記操作表示部の表示内容を変更することを特徴とする。
【００１９】
上記本発明によれば、操作者毎の遠隔操作が可能であり、警告事象の発生に際し、操作者に応じて（例えば操作者のレベルに応じて）、遠隔操作を行う他の装置での変更される表示内容を定めることができる。例えば、操作者のレベルに応じて画像形成装置の管理を行うような操作者では、遠隔操作を行う他の装置に画像形成装置と同じ表示形態で表示を行ったり、操作者によって表示内容の変更を行わなかったり、警告解除出来る認証者の場合にのみ、その警告を表示したりすることができる。
【００２０】
第７の本発明の画像形成システムは、前記第１〜第６の本発明のいずれかにおいて、前記他の装置が外部装置または他の画像形成装置であることを特徴とする。
【００２１】
第８の本発明の画像形成装置は、ネットワークを介して他の装置に接続され、前記他の装置の操作表示部を通した遠隔操作が可能とされているとともに、自機の操作および表示が可能な操作表示部を備える画像形成装置であって、
当該画像形成装置の状態を管理する制御部を備え、
前記制御部は、遠隔操作時に警告事象が発生すると、自機の前記操作表示部の表示内容を第１の表示形態に変更し、前記他の装置の前記操作表示部の表示内容を前記第１の表示形態と異なる第２の表示形態に変更する制御を行うことを特徴とする。
【００２２】
第９の本発明の画像形成装置は、前記第８の本発明において、前記第１の表示形態が、注意喚起が相対的に高い表示構成からなり、前記第２の表示形態が、注意喚起が相対的に低い表示構成からなることを特徴とする。
【００２３】
第１０の本発明の画像形成装置は、前記第８または第９の本発明において、前記第１の表示形態が、全面表示または点滅表示を含み、前記第２の表示形態が、部分的な警告表示を含むことを特徴とする。
【００２４】
第１１の本発明の画像形成装置は、前記第８〜第１０の本発明のいずれかにおいて、前記制御部は、前記警告事象が発生した際に、自機の操作表示部が操作状態の場合、自機の操作表示部の表示内容を前記第２の表示形態に変更することを特徴とする。
【００２５】
第１２の本発明の画像形成装置は、前記第８〜第１１の本発明のいずれかにおいて、前記制御部は、前記警告事象が緊急警告事象に相当すると判定される場合、前記他の装置の前記操作表示部の表示内容を第１の表示形態に変更することを特徴とする。
【００２６】
第１３の本発明の画像形成装置は、前記第８〜第１２の本発明のいずれかにおいて、前記制御部は、操作者の認証に基づいた前記他の装置による遠隔操作を可能とし、前記警告事象の発生に際し、前記操作者の認証に応じて前記他の装置の前記操作表示部の表示内容を変更することを特徴とする。
【００２７】
第１４の本発明の画像形成装置は、前記第８〜第１３の本発明のいずれかにおいて、自機の前記操作表示部が装置上面より上方に設けられ、表示画面が正面側に向いて設置されていることを特徴とする。
【００２８】
第１５の本発明の画像形成方法は、それぞれ操作表示部を備え、ネットワークを介して接続された画像形成装置と前記画像形成装置の遠隔操作が可能な他の装置とを通して画像形成を行う画像形成方法において、
前記画像形成装置の状態を管理し、前記遠隔操作時に前記状態に基づいて前記画像形成装置で警告事象が発生したかを判定し、警告事象が発生したと判定すると、警告事象が発生した前記画像形成装置の前記操作表示部の表示内容を第１の表示形態に変更し、前記他の装置の前記操作表示部の表示内容を前記第１の表示形態と異なる第２の表示形態に変更することを特徴とする。
【発明の効果】
【００２９】
本発明によれば、画像形成装置と他の装置とで、一方では大掛かりな警告により、警告に対しスムーズに対処でき、他方では、不必要な大掛かり警告表示を見ずに、ジョブ等の遠隔操作が行える、自分にとって不必要な警告を認識しなくてよい等の異なる状況を作り出すことができる効果がある。
【図面の簡単な説明】
【００３０】
【図１】本発明の一実施形態の画像形成装置の機械的構成を示す図である。
【図２】同じく、一実施形態の画像形成システムの制御ブロックを示す図である。
【図３】同じく、遠隔操作における画面表示例を示す概略図である。
【図４】同じく、第１の表示形態を示す画面例である。
【図５】同じく、第２の表示形態を示す画面例である。
【図６】同じく、通常のＶＲＡＭ使用における操作部の画面表示例を示す図である。
【図７】同じく、拡張したＶＲＡＭ使用における操作部の画面表示例を示す図である。
【図８】同じく、操作部の画面表示手順を示すフローチャートである。
【図９】同じく、操作部の画面表示手順を示す他例のフローチャートである。
【図１０】同じく、緊急警告事象発生時の画面表示手順を示すフローチャートである。
【発明を実施するための形態】
【００３１】
以下に、本発明の一実施形態を添付図面に基づいて説明する。
画像形成装置１は、画像形成装置本体１ａの前段側に大容量給紙トレイ１６１が接続され、画像形成装置本体１ａの後段側に後処理装置（ＦＮＳ）１８０が接続されたものである。画像形成装置１では、各装置間で用紙の搬送が可能になっているとともに、互いに通信可能になっている。
【００３２】
画像形成装置本体１ａでは、その上部側に、ＣＣＤ１３１を含むスキャナー部１３０、流し込みｔｙｐｅ自動原稿給送装置（ＡＤＦ）１３５が設けられており、プラテンガラスまたはＡＤＦ原稿読み取り用スリットガラスを通して原稿の画像読取が可能になっている。
上記したスキャナー部１３０、流し込みｔｙｐｅ自動原稿給送装置（ＡＤＦ）１３５、プラテンガラス、ＡＤＦ原稿読み取り用スリットガラスなどにより、画像読込部が構成されている。
また、画像形成装置本体１ａの上部側で、プラテンガラスが位置しない箇所であって装置の他部上面より上方に、表示画面が正面側に向くようにタッチパネルからなる操作部１４０が設けられて、操作者による操作および情報の表示が可能になっている。操作部１４０は、本発明の操作表示部に相当する。なお、本発明としては、操作部と表示部とを別体で構成することも可能である。
【００３３】
画像形成装置本体１ａの下部側には、複数の給紙トレイ（１〜３）１６０（図では３段）が配置され、さらに画像形成装置本体１ａに付設するようにして、給紙トレイを有する大容量給紙トレイ１６１が配置されている。
画像形成装置本体１ａ内には、いずれかの給紙トレイから給紙される用紙を搬送する搬送路、給紙ローラーなどが設けられており、画像形成装置本体１ａ内の搬送路途中に、帯電器１５４、ＬＤ１５２、感光体１５３、現像器１５５、転写部１５６、定着器１５７などで構成される画像形成部が設けられている。また、大容量給紙トレイ１６１にはそれぞれ給紙された用紙を搬送して画像形成装置本体１ａ内に導入する搬送路（図示しない）が設けられている。さらに、後処理装置（ＦＮＳ）１８０では、画像が印刷された用紙を搬送して後処理を行うことなく、または後処理を行って排紙をする排紙路を有している。
上記画像形成部、給紙トレイ（１−３）１６０、大容量給紙トレイ１６１、搬送路、給紙ローラーなどによって、本発明のプリンター部１５０が構成されている。
【００３４】
画像形成部では、帯電器１５４、現像器１５５、転写部１５６は、感光体１５３の周囲に配置されている。帯電器１５４は、画像書込み前に感光体１５３の表面を一様に帯電する。ＬＤ１５２は、表面が一様に帯電された感光体１５３に半導体レーザを照射することにより感光体１５３に静電潜像を形成する。現像器１５５は、ＬＤ１５２によって感光体１５３に形成された静電潜像をトナー部材によって現像する。この現像処理によって感光体１５３にトナー画像が形成される。転写部１５６は、給紙トレイ（１−３）１６０や大容量給紙トレイ１６１から搬送されてきた用紙に感光体１５３のトナー画像を転写する。トナー画像が転写された用紙は、感光体１５３から分離されて定着器１５７に搬送される。感光体１５３に残留したトナー部材は、クリーニング部によって除去される。
【００３５】
定着器１５７は、搬送された用紙を加熱することにより用紙の表面側に転写されたトナー画像を定着する。定着処理が施された用紙は、片面印刷の場合には画像形成装置本体１ａの側方に位置する後処理装置（ＦＮＳ）１８０にそのまま搬送される。
後処理装置（ＦＮＳ）１８０では、ステイプル、パンチ、中折りなどの後処理などが行われ、排紙される。一方、両面印刷の場合には、定着後の用紙がスイッチバックされて当該用紙の裏面側に画像形成部で所定の画像が転写される。そして、両面に画像が形成された用紙は定着後に後処理装置（ＦＮＳ）１８０に搬送される。
上記の画像形成装置１は、画像形成装置本体１ａと、大容量給紙トレイ１６１と、後処理装置（ＦＮＳ）１８０で構成されているが、本発明としては画像形成装置を構成する装置は、画像形成装置本体の他にはその数や種別が特に限定されるものではなく、複数の後処理装置を備えるものであってもよく、その他に、中継装置、スタック装置などの各種の外部装置を接続することができる。また、画像形成装置は、画像形成装置本体のみで構成されるものであってもよい。
【００３６】
図２は、本実施形態の画像形成システムの制御ブロックを示す図である。
画像形成システムは、画像形成装置１と端末（ＰＣ）３と端末（タブレット型ＰＣ）４を備え、これらがネットワークであるＬＡＮ２によって通信可能に接続されている。なお、端末（タブレット型ＰＣ）４は、図示しない無線ＬＡＮを介してＬＡＮ２に接続されている。端末（ＰＣ）３と端末（タブレット型ＰＣ）４は、画像形成装置１を遠隔操作する、本発明の他の装置に相当する。
【００３７】
画像形成装置１に接続する装置の種別や数は特に限定されるものではない。画像形成システムには複数の画像形成装置がＬＡＮ２で接続されているものでもよく、端末（ＰＣ）３や端末（タブレット型ＰＣ）４が接続されていないものであってもよい。端末（ＰＣ）３、端末（タブレット型ＰＣ）４は、それぞれ画面の表示および操作の受け付けが行われる操作部３０、４０を有しており、操作部３０、４０は、本発明における他の装置の操作表示部に相当する。
端末（ＰＣ）３、端末（タブレット型ＰＣ）４は、ＶＮＣクライアントを介して操作部３０、４０上で、画像形成装置１に関する画面の表示や操作が可能になっている。
【００３８】
画像形成装置１は、主要な構成として、制御ブロック１００とスキャナー部１３０と操作部１４０とプリンター部１５０とを有している。操作部１４０は、本発明の操作表示部に相当する。
制御ブロック１００では、制御ＣＰＵ１１０を備えており、制御ＣＰＵ１１０にＤＲＡＭ制御ＩＣ１１１が接続されている。制御ＣＰＵ１１０には、ＲＯＭ１１４、不揮発メモリ１１５が接続されている。ＲＯＭ１１４には、制御ＣＰＵ１１０を動作させるプログラムなどが格納されている。不揮発メモリー１１５はフラッシュメモリーなどにより構成され、画像形成装置１の初期印刷設定情報や、プロセス制御パラメータ等の機械設定情報、出力設定の初期データー、操作部に表示する画面情報等が格納されている。
【００３９】
また、制御ＣＰＵ１１０は、不揮発メモリー１１５の不揮発データーを読み取り可能であり、また、所望のデーターを不揮発メモリー１１５に書き込むことが可能である。
制御ＣＰＵ１１０は、上記機械設定情報や印刷設定情報、出力設定などに従って画像形成装置１の各部を動作制御する。また、不揮発メモリー１１５には、警告事象の内容や緊急警告事象の内容を設定しておくことができ、制御ＣＰＵ１１０は、不揮発メモリー１１５の格納データに基づいて、警告事象の発生や緊急警告事象の発生を判定することができる。
制御ＣＰＵ１１０は、ＲＯＭ１１４、不揮発メモリー１１５などとともに本発明の制御部を構成し、画像形成システムを制御し、画像形成システム１全体の状態把握を行う。
【００４０】
前記スキャナー部１３０は、光学読み取りを行うＣＣＤ１３１と、スキャナー部１３０全体の制御を行うスキャナー制御部１３２とを備えている。スキャナー制御部１３２は、制御ＣＰＵ１１０に接続されており、制御ＣＰＵ１１０による制御を受ける。なお、スキャナー制御部１３２は、ＣＰＵやこれを動作させるプログラムなどによって構成することができる。前記ＣＣＤ１３１で読み取った画像情報は、読み取り処理部１１６でデータ処理がなされる。読み取り処理部１１６には、ＤＲＡＭ制御ＩＣ１１１に接続されており、読み取り処理部１１６でデータ処理された画像データはＤＲＡＭ制御ＩＣ１１１に送信される。
【００４１】
操作部１４０は、前記したタッチパネル式のＬＣＤ１４１と、操作部制御部１４２と、ＶＲＡＭ１４３を備えており、上記ＬＣＤ１４１およびＶＲＡＭ１４３と操作部制御部１４２とが接続され、該操作部制御部１４２と前記制御ＣＰＵ１１０とがシリアル通信可能に接続されている。該構成によって操作部１４０の制御が制御ＣＰＵ１１０によって行われ、ＶＲＡＭ１４３に描かれた画面画像がＬＣＤ１４１に表示されるとともに、操作部１４０の入力情報が制御ＣＰＵ１１０に送られる。なお、操作部制御部１４２は、ＣＰＵやこれを動作させるプログラムなどによって構成することができる。
なお、制御ＣＰＵ１１０は、遠隔操作用に端末（ＰＣ）３や端末（タブレット型ＰＣ）４に表示する操作画面をＶＲＡＭ１４３に描いて画面画像を端末（ＰＣ）３や端末（タブレット型ＰＣ）４に送信し、操作画面３０、４０に操作可能に表示することができる。
【００４２】
また、前記ＤＲＡＭ制御ＩＣ１１１には、画像データーを圧縮する圧縮ＩＣ１１８と、画像データーを伸長する伸長ＩＣ１２５が接続されている。さらにＤＲＡＭ制御ＩＣ１１１には、圧縮メモリー１２０とページメモリー１２１とを含む画像メモリー（ＤＲＡＭ）が接続され、さらに、ＰＣＩバスを介してＨＤＤ１２７が接続されている。ＤＲＡＭ制御ＩＣ１１１は、制御ＣＰＵ１１０からの指示に従って、圧縮ＩＣ１１８による画像データーの圧縮処理及び伸長ＩＣ１２５による圧縮画像データーの伸長処理を制御するとともに、画像メモリー（ＤＲＡＭ）やＨＤＤ１２７への画像データーの入出力制御を行う。
書き込み処理部１２６は、プリンター部１５０のＬＤ１５２に接続され、画像データーに基づいてＬＤ１５２の動作に用いられる書き込みデーターを生成する。
【００４３】
プリンター部１５０は、画像形成部、給紙トレイ（１−３）１６０、搬送経路などにより構成される。
また、プリンター部１５０は、プリンター部１５０の全体（給紙、画像形成、排紙、後処理など）を制御するプリンター制御部１５１を備えており、プリンター制御部１５１は前記した制御ＣＰＵ１１０にシリアル通信可能に接続されている。プリンター制御部１５１は制御ＣＰＵ１１０の制御指令に従って動作して、プリンター部１５０を制御し、用紙搬送、画像形成などを行う。
【００４４】
また、上記のようにＤＲＡＭ制御ＩＣ１１１が接続されたＰＣＩバスには、画像処理部（プリント＆スキャナーコントローラー）１６０のＤＲＡＭ制御ＩＣ１６１が接続されている。画像処理部（プリント＆スキャナーコントローラー）１６０は、画像形成装置本体１ａをネットワークプリンターやネットワークスキャナーとして使用する場合に、ＬＡＮ２に接続される端末（ＰＣ）３や端末（タブレット型ＰＣ）４などから画像データー等を画像形成装置本体１ａで受信したり、スキャナー部１３０で取得した画像データーをＬＡＮ２に接続される端末（ＰＣ）３や端末（タブレット型ＰＣ）４などに送信したりするものである。
【００４５】
画像処理部（プリント＆スキャナーコントローラー）１６０では、ＤＲＡＭ制御ＩＣ１６１に、ＤＲＡＭなどで構成される画像メモリー１６２が接続されている。また、画像処理部（プリント＆スキャナーコントローラー）１６０では、共通バスに、画像処理部（プリント＆スキャナーコントローラー）１６０全体の制御を行うコントローラー制御部１６３、ＬＡＮインターフェース１６５、ＨＤＤ１６６が接続されている。ＬＡＮインターフェース１６５は、ＬＡＮ２に接続されている。
【００４６】
次に、上記画像形成システム１の基本的動作について説明する。
先ず、画像形成装置本体１ａにおいて画像データーを蓄積する手順について説明する。
画像形成装置本体１ａにおいて、スキャナー部１３０で画像を読み取り画像データーを生成する場合について説明する。スキャナー部１３０において原稿からＣＣＤ１３１により画像を光学的に読み取る。この際には、制御ＣＰＵ１１０から指令を受けるスキャナー制御部１３２によってＣＣＤ１３１の動作制御を行う。原稿の読み取りは、自動原稿給送装置（ＡＤＦ）１３５によって原稿を自動給送しつつ行ってもよく、また、プラテンガラス上に原稿を置いて行ってもよい。
【００４７】
制御ＣＰＵ１１０はプログラムによって動作し、操作表示部１４０による操作（読み取り指示やコピー指示）に基づいてスキャナー部１３０への指令を発行する。ＣＣＤ１３１で読み取られた画像は、読み取り処理部１１６でデーター処理がなされ、データー処理された画像データーは、ＤＲＡＭ制御ＩＣ１１１を介して圧縮ＩＣ１１８に送られて所定の方法によって圧縮される。圧縮されたデーターは、ＤＲＡＭ制御ＩＣ１１１を介して画像メモリー（ＤＲＡＭ）の圧縮メモリー１２０に格納される。ＨＤＤ１２７に格納する場合は、圧縮メモリー１２０に一旦格納したデーターをＤＲＡＭ制御ＩＣ１１１を介してＨＤＤ１２７に送る。
【００４８】
この他に画像データーは、ＬＡＮ２を介して画像形成装置本体１ａに入力されることもある。上記画像データーとしては、例えば端末（ＰＣ）３や端末（タブレット型ＰＣ）４などのアプリケーションプログラム等により生成されたものなどが挙げられる。画像データーの生成方法は特に限定されるものではない。
該画像データーは、ＬＡＮ２、ＬＡＮインターフェース１６５を介して画像処理部（プリント＆スキャナーコントローラー）１６０で受信され、画像メモリー１６２またはＨＤＤ１６６に一旦格納される。画像メモリー１６２またはＨＤＤ１６６に格納されたデーターは、必要な場合はデータ処理がなされ、ＰＣＩバスを介してＤＲＡＭ制御ＩＣ１１１に転送され、ページメモリー１２１に一旦格納される。ページメモリー１２１に格納されたデーターは、ＤＲＡＭ制御ＩＣ１１１を介して圧縮ＩＣ１１８に送られて圧縮処理され、ＤＲＡＭ制御ＩＣ１１１を介して圧縮メモリー１２０に格納される。ＨＤＤ１２７に格納する場合は、圧縮メモリー１２０に一旦格納したデーターをＤＲＡＭ制御ＩＣ１１１を介してＨＤＤ１２７に送る。
【００４９】
上記画像データーの蓄積に際しては、画像データーの蓄積前または蓄積後に出力設定がなされる。該出力設定は、前記操作部１４０に操作入力が可能な設定画面を表示して、操作者による操作入力によって行うことができる。また、初期設定において出力設定項目が選択されており、操作者による設定入力がなされない場合にも該初期設定によって出力設定がなされる。また、遠隔操作に際しては、端末（ＰＣ）３や端末（タブレット型ＰＣ）４の操作部３０や操作部４０によって設定入力を行うことができる。
【００５０】
画像形成装置１で画像出力を行う場合、すなわち複写機やプリンターとして使用する場合、圧縮メモリー１２０に格納された画像データーを、ＤＲＡＭ制御ＩＣ１１１を介して伸長ＩＣ１２５に送出してデーターを伸長し、伸長したデーターを書き込み処理部１２６に送出し、帯電部１５４で帯電した感光体１５３へＬＤ１５２によって書き込みを行う。
なお、ＨＤＤ１２７に格納された画像データーを用いる場合は、ＨＤＤ１２７に格納された画像データーを、ＤＲＡＭ制御ＩＣ１１１を介して一旦、圧縮メモリー１２０に格納し、圧縮メモリー１２０に格納された画像データーをＤＲＡＭ制御ＩＣ１１１を介して伸長ＩＣ１２５に送出してデーターを伸長し、伸長したデーターを上記と同様に書き込み処理部１２６に送出する。
【００５１】
プリンター部１５０では、制御ＣＰＵ１１０の指令を受けたプリンター制御部１５１によって各部の制御が行われる。画像形成部では感光体１５３に書き込まれた潜像が現像部１５５でトナー像として現像され、該トナー像が転写部１５６で搬送経路によって供給される用紙に転写され、定着器１５７で定着がなされる。感光体１５３では、トナー像が用紙転写された後、クリーニング部によって残留トナーが除去される。
なお、この実施形態では、モノクロの画像形成を前提にして説明したが、各色（例えば、シアン、マゼンタ、イエロー、ブラック）毎に感光体等を備える画像形成装置本体としたものであってもよい。
【００５２】
画像形成がなされた用紙は搬送経路を経て後処理装置（ＦＮＳ）１８０に搬送され、後処理設定がなされている場合、所定の後処理が行われて排紙され、後処理設定がなされていない場合は、そのまま排紙される。
【００５３】
また、端末（ＰＣ）３や端末（タブレット型ＰＣ）４では、前記したように画像形成装置１の遠隔操作が可能になっている。ＶＮＣを例にして説明すると、画像形成装置１には、ＶＮＣ（商標、以下同じ）サーバが設けられ、端末（ＰＣ）３や端末（タブレット型ＰＣ）４にＶＮＣクライアントが設けられている。
ＶＮＣクライアントは、画像形成装置１のＶＮＣサーバから画面データを取得し、自身の操作部制御部に受け渡して取得した画面を操作部３０または操作部４０に表示し、その画面に対する操作を受付けて画像形成装置１のＶＮＣサーバへ伝達する機能を有する。なお、ＶＮＣサーバは、接続中のＶＮＣクライアントから遠隔操作の通知がなされると、遠隔操作用の表示画面をグラフィックドライバーなどによってＶＲＡＭ１４３に描き、ＶＲＡＭ１４３に描画された画面データをＶＮＣクライアントに送信する。その後、ＶＮＣサーバーはＶＮＣクライアントからの操作情報を受付け、その操作情報を制御ＣＰＵ１１０に伝達する。制御ＣＰＵ１１０では、操作部３０または操作部４０における操作内容に従って制御を実行する。これにより、端末（ＰＣ）３や端末（タブレット型ＰＣ）４の操作表示部３０、４０から画像形成装置１に対する遠隔操作が可能になる。
【００５４】
図３は、ＶＲＡＭ１４３に描画された表示画面が、操作部１４０に画面１４１０として操作可能に表示されるか、端末（ＰＣ）３の操作部３０の画面３１０として操作可能に表示される状態を示している。
【００５５】
図４は、操作部１４０に表示された画面１４１０を拡大して示すものであり、画面１４１０は画像形成装置１で警告事象が発生した際に警告事象発生前の表示内容を変更して表示されるものであり、本発明における第１の表示形態に相当する。
画面１４１０は、操作部１４０の表示領域の殆ど、すなわち全画面的に警告表示をするものであり、警告メッセージ１４１１と、警告事象内容を説明する警告イラスト１４１２とが表示されている。画面１４１０には、「閉じる」釦１４１３が押釦可能に表示されており、「閉じる」釦１４１３を押釦することで、前画面に復帰することができる。また、画面１４１０ではタブの点滅と赤色全面表示がされて、注意喚起を相対的に高くした表示がなされている。
画面１４１０は、ユーザーに注意喚起を高くした画面であり、画像形成装置１の動作に関する操作を行うことは不可になっている。
【００５６】
図５は、端末（ＰＣ）３に表示された画面３１０を拡大して示すものであり、画面３１０は、画像形成装置１で警告事象が発生した際に警告事象発生前の表示内容を変更して表示されるものであり、本発明における第２の表示形態に相当する。
画面３１０は、警告事象発生前の操作画面がほぼ表示され、その一部で警告表示としてＪＡＭ発生を示すアイコン３１１が表示されている。この例では特に大掛かりな警告はせず、下部にＪＡＭアイコンのみ表示している。
画面３１０は、ユーザー警告事象発生を通知するためにアイコン３１１を表示しているが、画像形成装置１に対する遠隔操作自体は可能になっており、相対的に低い注意喚起を伴う画面である。なお、画面３１０でアイコン３１１を除いた表示内容は、警告事象発生前に操作部１４０または操作部３０に操作可能に表示された画面の表示内容に相当するものである。
【００５７】
次に、操作形態に基づいた画面表示の例を図６、７に基づいて説明する。
図６の例では、ＶＲＡＭ１４３（１０２４×７６８×２の画素数に対応する）の前半領域（１０２４×７６８の画像数に対応する）を操作部１４０で表示する表示内容の描画に使用し、ＶＲＡＭ１４３の後半領域（１０２４×７６８の画像数に対応する）を操作部３０で表示する表示内容の描画に使用するものである。なお、以下の説明における表示画像生成部１１０ａは制御ＣＰＵ１１０の一部機能によって構成される。
画像形成装置１の操作部１４０（パネル）を使用する通常時（パネル操作時）には、図６（ａ）に示すように表示画像生成部１１０ａによって操作部１４０に表示する表示画像用のデータが生成され、ＶＲＡＭ１４３の前半領域に表示画面が描画され、該表示画面データに基づいて画面操作部１４０に操作が可能な画像１４００が表示される。
【００５８】
一方、端末（ＰＣ）３で遠隔操作する場合（端末操作時）、図６（ｂ）に示すように表示画像生成部１１０ａによって操作部１４０に表示する表示画像用のデータが生成され、ＶＲＡＭ１４３の後半領域に表示画面が描画され、該表示画面データに基づいて操作部３０に画像３００が操作可能に表示される。
次に、ＪＡＭなどの警告事象が発生すると、図６（ｃ）に示すように表示画像生成部１１０ａによって操作部１４０に表示する表示画像用のデータと操作部３０に表示する表示画像用のデータとが生成され、ＶＲＡＭ１４３の前半領域に操作部１４０用の表示画面が描画され、ＶＲＡＭ１４３の後半領域に操作部３０用の表示画面が描画される。操作部１４０の表示内容がＶＲＡＭ１４３の前半領域に描画された内容（画像１４１０；第１の表示形態に相当）に変更され、操作部３０の表示内容がＶＲＡＭ１４３の後半領域に描画された内容（画像３１０；第２の表示形態に相当）に変更される。
画像１４１０は、前述したように全画面表示で警告を表示するものであり、画像３１０は、前述したようにアイコンで警告を表示するものであって画像形成装置１に対する操作が可能になっている。
【００５９】
図７の例では、ＶＲＡＭ１４３（１０２４×７６８×２の画素数に対応する）の前半領域（１０２４×７６８の画像数に対応する）を操作用の表示内容の描画に使用し、ＶＲＡＭ１４３の後半領域（１０２４×７６８の画像数に対応する）を警告事象発生時に注意喚起を高く行う表示内容の描画に使用するものである。
【００６０】
画像形成装置１の操作部１４０（パネル）を使用する通常時（パネル操作時）には、図７（ａ）に示すように表示画像生成部１１０ａによって操作部１４０に表示する表示画像用のデータが生成され、ＶＲＡＭ１４３の前半領域に表示画面が描画され、操作部１４０に操作が可能な画像１４００として表示される。
【００６１】
一方、端末（ＰＣ）３で遠隔操作する場合（端末操作時）、図７（ｂ）に示すように、表示画像生成部１１０ａによって操作部１４０に表示する表示画像用のデータが生成され、ＶＲＡＭ１４３の前半領域に表示画面が描画され、操作部３００に操作が可能な画像３００として表示される。
次に、ＪＡＭなどの警告事象が発生すると、図７（ｃ）に示すように表示画像生成部１１０ａによって操作部１４０に表示する表示画像用のデータと操作部３０に表示する表示画像用のデータとが生成され、ＶＲＡＭ１４３の前半領域に操作部３０用の表示画面が描画され、ＶＲＡＭ１４３の後半領域に操作部１４０用の表示画面が描画される。これらの表示画面データに基づいて、操作部１４０の表示内容がＶＲＡＭ１４３の後半領域に描画された内容（画像１４１０；第１の表示形態に相当）に変更され、操作部３０の表示内容がＶＲＡＭ１４３の前半領域に描画された内容（画像３１０；第２の表示形態に相当）に変更される。
画像１４１０は、前述したように全画面表示で警告を表示するものであり、画像３１０は、前述したようにアイコン３１１で警告を表示するものであって画像形成装置１に対する操作が可能になっている。
【００６２】
通常、遠隔操作に際しては画像形成装置本体側の操作部（ＶＲＡＭ先頭アドレス〜画面サイズ分）をネットワークを介して遠隔操作可能な画像形成システムの端末で表示するが、本実施形態では、警告時に画像形成装置本体と遠隔操作可能な画像形成システムでは表示が異なるものとしている。
またこれらの例では、画像形成装置本体１ａに存在するＶＲＡＭ１４３を拡張し、警告時には画像形成装置本体部専用と画像形成システムの端末専用の画像を作成し、画像形成システムで表示する分は画像形成システムの端末専用を表示している。
【００６３】
なお、上記図６、７の例では、端末（ＰＣ）３における画面表示について説明したが、端末（タブレット型ＰＣ）４の画面についても同様の表示を行うことができる。
【００６４】
次に、上記画面表示の例における制御手順を図８、９のフローチャートに基づいて説明する。これらの手順は、制御ＣＰＵ１１０の制御によって行われる。
【００６５】
先ず図６の画面表示例における制御手順を図８に基づいて説明する。
画像形成システムの動作開始に伴い、本体パネル操作か遠隔操作端末操作かを判定する（ステップｓ１）。本体パネル操作は、画像形成装置１の操作部１４０を用いた操作を意味する（以下、同じ）。
本体パネル操作である場合（ステップｓ１、本体パネル）、画面生成部（前記表示画像生成部に相当）で画面を生成し（ステップｓ２）、ＶＲＡＭ前半に書き込む（ステップｓ３）。次いで警告表示かを判定する（ステップｓ４）。警告事象発生であれば警告表示となる。
【００６６】
警告表示でなければ（ステップｓ４、ＮＯ）、処理を終了し、警告表示であれば（ステップｓ４、ＹＥＳ）、操作中かを判定する（ステップｓ５）。操作中かは、オペレーターによる何らかの操作が行われて、画面が遷移した状態であったり入力待機状態にあったりするか、などにより判定することができる。操作中である場合（ステップｓ５、ＹＥＳ）、画面生成部で第２の表示態様（アイコン追加）で画面を生成し（ステップｓ６）、ＶＲＡＭ前半に書き込み（ステップｓ７）、ステップｓ４に戻る。操作中でない場合（ステップｓ５、ＮＯ）、画面生成部で第１の表示態様（全面警告）で画面を生成し（ステップｓ８）、ＶＲＡＭ前半に書き込み（ステップｓ９）、ステップｓ４に戻る。
上記により画像形成装置のパネル操作時に警告事象が発生すると、操作中でなければ画像形成装置に、全面的な警告表示を有する第１の表示形態で表示を行い、操作中であれば画像形成装置に、部分的な警告表示を有する第２の表示形態で表示を行うことができる。
【００６７】
一方、遠隔操作端末操作である場合（ステップｓ１、遠隔操作端末）、画面生成部で画面を生成し（ステップｓ１０）、ＶＲＡＭ後半に書き込む（ステップｓ１１）。次いで警告表示かを判定する（ステップｓ１２）。警告事象発生であれば警告表示となる。
警告表示でなければ（ステップｓ１２、ＮＯ）、処理を終了し、警告表示であれば（ステップｓ１２、ＹＥＳ）、画面生成部で第１の表示形態（全面警告）と第２の表示形態（アイコン追加）で画面を生成し（ステップｓ１３）、第１の表示形態をＶＲＡＭ前半に書き込み、第２の表示形態をＶＲＡＭ後半に書き込み（ステップｓ１４）、ステップｓ１２に戻る。
上記により遠隔操作端末時に警告事象が発生すると、画像形成装置に全面的な警告表示を有する第１の表示形態で表示を行い、端末に部分的な警告表示を有する第２の表示形態で表示を行うことができ、端末では、引き続き遠隔操作を行うことが可能になる。
【００６８】
次に図７の画面表示例における制御手順を図９に基づいて説明する。
画像形成システムの動作開始に伴い、本体パネル操作か遠隔操作端末操作かを判定する（ステップｓ２０）。
本体パネル操作である場合（ステップｓ２０、本体パネル）、画面生成部で画面を生成し（ステップｓ２１）、ＶＲＡＭ前半に書き込む（ステップｓ２２）。次いで警告表示かを判定する（ステップｓ２３）。警告事象発生であれば警告表示となる。
警告表示でなければ（ステップｓ２３、ＮＯ）、処理を終了し、警告表示であれば（ステップｓ２３、ＹＥＳ）、操作中かを判定する（ステップｓ２４）。操作中かは、オペレーターによる何らかの操作が行われて、画面が遷移した状態であったり入力待機状態にあったりするか、などにより判定することができる。操作中である場合（ステップｓ２４、ＹＥＳ）、画面生成部で第２の表示態様（アイコン追加）で画面を生成し（ステップｓ２５）、ＶＲＡＭ前半に書き込み（ステップｓ２６）、ステップｓ２３に戻る。操作中でない場合（ステップｓ２４、ＮＯ）、画面生成部で第１の表示態様（全面警告）で画面を生成し（ステップｓ２７）、ＶＲＡＭ前半に書き込み（ステップｓ２８）、ステップｓ２３に戻る。
上記により画像形成装置のパネル操作時に警告事象が発生すると、操作中でなければ画像形成装置に、全面的な警告表示を有する第１の表示形態で表示を行い、操作中であれば画像形成装置に、部分的な警告表示を有する第２の表示形態で表示を行うことができる。
【００６９】
一方、遠隔操作端末である場合（ステップｓ２０、遠隔操作端末）、画面生成部で画面を生成し（ステップｓ３０）、ＶＲＡＭ前半に書き込む（ステップｓ３１）。次いで警告表示かを判定する（ステップｓ３２）。警告事象発生であれば警告表示となる。警告表示でなければ（ステップｓ３２、ＮＯ）、処理を終了し、警告表示であれば（ステップｓ３２、ＹＥＳ）、画面生成部で第１の表示形態（全面警告）と第２の表示形態（アイコン追加）で画面を生成し（ステップｓ３３）、第１の表示形態をＶＲＡＭ後半に書き込み、第２の表示形態をＶＲＡＭ前半に書き込み（ステップｓ３４）、処理を終了する。
上記により遠隔操作端末時に警告事象が発生すると、画像形成装置に全面的な警告表示を有する第１の表示形態で表示を行い、端末に部分的な警告表示を有する第２の表示形態で表示を行うことができ、端末では、引き続き遠隔操作を行うことが可能になる。
【００７０】
次に、警告表示に際し、画像形成装置の故障などの緊急警告事象によって遠隔操作する装置での表示内容を変更する手順について図１０のフローチャートに基づいて説明する。
警告表示が開始すると、警告事象が緊急警告事象かを判定する（ステップｓ４０）。緊急警告事象でない場合、上記図８や図９の手順と同様に、画面生成部で第１の表示形態（全面警告）と第２の表示形態（アイコン追加）で画面を生成し（ステップｓ４１）、第１の表示形態に相当する画面をＶＲＡＭ後半に書き込み、第２の表示形態に相当する画面をＶＲＡＭ前半に書き込み（ステップｓ４２）、当該手順処理を終了する。この手順は、図９の手順に沿ったものである。
一方、警告事象が緊急警告事象である場合（ステップｓ４０、ＹＥＳ）、画面生成部で第１の表示形態（全面警告）で画面を生成し（ステップｓ４３）、第１の表示形態をＶＲＡＭ前半および後半に書き込み（ステップｓ４４）、処理を終了する。これにより、緊急警告事象に際しては、遠隔操作する側の装置でも注意喚起を高くした表示を行うことができる。
【００７１】
なお、上記の表示例では、端末で画像形成装置の遠隔操作を行うものとして説明したが、他の画像形成装置で画像形成装置１の遠隔操作を行うものにおいても同様に適用が可能である。
【００７２】
以上、本発明について上記実施形態に基づいて説明を行ったが、本発明の範囲を逸脱しない限りは適宜の変更が可能である。
【符号の説明】
【００７３】
１    画像形成装置
１ａ  画像形成装置本体
２    ＬＡＮ
３    端末（ＰＣ）
４    端末（タブレット型ＰＣ）
３０    操作部
４０    操作部
１１０    制御ＣＰＵ
１１５    不揮発メモリー
１３０    スキャナー部
１４０    操作部
１５０    プリンター部
【図１】
2014138326.tif 000003
【図２】
2014138326.tif 000004
【図３】
2014138326.tif 000005
【図４】
2014138326.tif 000006
【図５】
2014138326.tif 000007
【図６】
2014138326.tif 000008
【図７】
2014138326.tif 000009
【図８】
2014138326.tif 000010
【図９】
2014138326.tif 000011
【図１０】
2014138326.tif 000012